(57)【要約】【課題】支持部材を近接位置から離間位置へ容易に回動させることができる画像形成装置を提供する。【解決手段】  画像形成装置１は、筐体２と、感光ドラム９Ｙを備えるドラムユニット４と、現像剤カートリッジ６Ｙと、支持部材２１と、引張ばね２２Ａとを備える。筐体２のトップカバー２Ｂは、開位置と閉位置との間を、第１軸Ａ１について回動可能である。支持部材２１は、現像剤カートリッジ６Ｙを感光ドラム９Ｙの上に近接させる近接位置と、現像剤カートリッジ６Ｙを持ち上げて現像剤カートリッジ６Ｙを感光ドラム９Ｙから離間させる離間位置との間を、第２軸Ａ２について回動可能である。引張ばね２２Ａは、トップカバー２Ｂが開位置に位置した状態で、支持部材２１を離間位置に向けて引っ張る。【選択図】図４
2020016773.tif 000002
【特許請求の範囲】
【請求項１】
開口を有する筐体と、
前記開口を開ける開位置と前記開口を閉じる閉位置との間を、第１軸について回動可能なトップカバーと、
感光ドラムを備え、前記開口を通して前記筐体に装着可能なドラムユニットと、
前記感光ドラムに供給するための現像剤を収容する現像剤カートリッジと、
前記現像剤カートリッジを支持する支持部材であって、前記トップカバーが前記開位置にある場合に、前記現像剤カートリッジを前記感光ドラムの上に近接させる近接位置と、前記現像剤カートリッジを持ち上げて前記現像剤カートリッジを前記感光ドラムから離間させる離間位置との間を、第２軸について回動可能な支持部材と、
前記トップカバーが前記開位置に位置した状態で前記支持部材を前記離間位置に向けて引っ張る引張ばねであって、前記第１軸から離れた位置で前記トップカバーに接続される第１端と、前記第２軸から離れた位置で前記支持部材に接続される第２端とを有する引張ばねと、
を備えることを特徴とする、画像形成装置。
【請求項２】
前記引張ばねは、
前記トップカバーが前記閉位置に位置し、前記支持部材が前記近接位置に位置する状態で、第１長さであり、
前記トップカバーが前記開位置に位置し、前記支持部材が前記近接位置に位置する状態で、前記第１長さよりも短い第２長さであり、
前記トップカバーが前記開位置に位置し、前記支持部材が前記離間位置に位置する状態で、前記第２長さよりも短い第３長さであることを特徴とする、請求項１に記載の画像形成装置。
【請求項３】
前記現像剤カートリッジは、前記トップカバーが前記開位置に位置し、前記支持部材が前記近接位置に位置する状態で、前記開口を介して、前記筐体に装着可能であることを特徴とする、請求項１または請求項２に記載の画像形成装置。
【請求項４】
前記筐体は、
前記ドラムユニットが前記筐体に装着された状態で、前記ドラムユニットと接触して前記筐体に対する前記ドラムユニットの位置を決める位置決め部と、
前記ドラムユニットが前記筐体に装着され、前記トップカバーが前記閉位置に位置した状態で、前記ドラムユニットを前記位置決め部に向かって押圧する押圧部材と
を備え、
前記支持部材が前記近接位置に位置し、前記トップカバーが前記閉位置に位置する状態で、前記引張ばねは、前記押圧部材が前記ドラムユニットを押圧する方向に、前記支持部材を引っ張ることを特徴とする、請求項１から請求項３のいずれか一項に記載の画像形成装置。
【請求項５】
前記現像剤カートリッジは、現像ローラを備え、
前記現像ローラは、前記ドラムユニットが前記筐体に装着され、前記支持部材が前記近接位置に位置し、前記現像剤カートリッジが前記筐体に装着された状態で、前記引張ばねが前記支持部材を引っ張る方向において、前記感光ドラムに対して前記位置決め部の反対側に位置し、前記感光ドラムと接触することを特徴とする、請求項４に記載の画像形成装置。
【請求項６】
前記ドラムユニットは、
前記感光ドラムと、
前記ドラムユニットが前記筐体に装着された状態で、前記押圧部材が前記ドラムユニットを押圧する方向において、前記感光ドラムと間隔を隔てて並ぶ第２感光ドラムと
を備え、
前記画像形成装置は、
前記現像剤カートリッジと、
前記第２感光ドラムに供給するための現像剤を収容する第２現像剤カートリッジであって、前記ドラムユニットが前記筐体に装着された状態で、前記押圧部材が前記ドラムユニットを押圧する方向において、前記現像剤カートリッジと間隔を隔てて並ぶ第２現像剤カートリッジと
を備えることを特徴とする、請求項４または請求項５に記載の画像形成装置。
【請求項７】
前記支持部材は、前記感光ドラムを露光するための露光部材を備え、
前記露光部材は、前記現像剤カートリッジと前記第２現像剤カートリッジとの間に位置することを特徴とする、請求項６に記載の画像形成装置。
【発明の詳細な説明】
【技術分野】
【０００１】
本開示は、画像形成装置に関する。
【背景技術】
【０００２】
従来、筐体と、感光ドラムを備えるドラムユニットと、現像剤カートリッジと、支持部材とを備える画像形成装置が、知られている（下記特許文献１参照）。
【０００３】
筐体は、開口とトップカバーとを有する。トップカバーは、開口を開ける開位置と、開口を閉じる閉位置との間を、第１軸について回動可能である。支持部材は、現像剤カートリッジを支持する。支持部材は、トップカバーが開位置にある状態で、現像剤カートリッジを感光ドラムの上に近接させる近接位置と、現像剤カートリッジを持ち上げて現像剤カートリッジを感光ドラムから離間させる離間位置との間を、第２軸について回動可能である。
【先行技術文献】
【特許文献】
【０００４】
【特許文献１】特開２０１３−１３４３７１号公報
【発明の概要】
【発明が解決しようとする課題】
【０００５】
上記した特許文献１に記載されるような画像形成装置では、現像剤カートリッジの重量により、支持部材を近接位置から離間位置へ回動させにくい場合がある。
【０００６】
そこで、本開示の目的は、支持部材を近接位置から離間位置へ容易に回動させることができる画像形成装置を提供することにある。
【課題を解決するための手段】
【０００７】
（１）本開示の画像形成装置は、筐体と、トップカバーと、ドラムユニットと、現像剤カートリッジと、支持部材と、引張ばねとを備える。筐体は、開口を有する。トップカバーは、開口を開ける開位置と開口を閉じる閉位置との間を、第１軸について回動可能である。ドラムユニットは、感光ドラムを備え、開口を通して筐体に装着可能である。現像剤カートリッジは、感光ドラムに供給するための現像剤を収容する。支持部材は、現像剤カートリッジを支持する。支持部材は、トップカバーが開位置にある場合に、現像剤カートリッジを感光ドラムの上に近接させる近接位置と、現像剤カートリッジを持ち上げて現像剤カートリッジを感光ドラムから離間させる離間位置との間を、第２軸について回動可能である。引張ばねは、トップカバーが開位置に位置した状態で支持部材を離間位置に向けて引っ張る。引張ばねは、第１軸から離れた位置でトップカバーに接続される第１端と、第２軸から離れた位置で支持部材に接続される第２端とを有する。
【０００８】
このような構成によれば、引張ばねの第１端が第１軸から離れた位置でトップカバーに接続され、引張ばねの第２端が第２軸から離れた位置で支持部材に接続される。
【０００９】
これにより、引張ばねは、トップカバーが開位置に位置した状態で、支持部材を離間位置に向けて引っ張る。
【００１０】
そのため、トップカバーが開位置に位置した状態で、ユーザが支持部材を近接位置から離間位置へ回動させる場合、引張ばねの力を利用して、支持部材を近接位置から離間位置へ回動させることができる。
【００１１】
その結果、支持部材を近接位置から離間位置へ容易に回動させることができる。
【００１２】
（２）引張ばねは、トップカバーが閉位置に位置し、支持部材が近接位置に位置する状態で、第１長さであり、トップカバーが開位置に位置し、支持部材が近接位置に位置する状態で、第１長さよりも短い第２長さであり、トップカバーが開位置に位置し、支持部材が離間位置に位置する状態で、第２長さよりも短い第３長さであってもよい。
【００１３】
（３）現像剤カートリッジは、トップカバーが開位置に位置し、支持部材が近接位置に位置する状態で、開口を介して、筐体に装着可能であってもよい。
【００１４】
（４）筐体は、位置決め部と、押圧部材とを備えてもよい。位置決め部は、ドラムユニットが筐体に装着された状態で、ドラムユニットと接触して筐体に対するドラムユニットの位置を決める。押圧部材は、ドラムユニットが筐体に装着され、トップカバーが閉位置に位置した状態で、ドラムユニットを位置決め部に向かって押圧する。支持部材が近接位置に位置し、トップカバーが閉位置に位置する状態で、引張ばねは、押圧部材がドラムユニットを押圧する方向に、支持部材を引っ張る。
【００１５】
（５）現像剤カートリッジは、現像ローラを備える。ドラムユニットが筐体に装着され、支持部材が近接位置に位置し、現像剤カートリッジが筐体に装着された状態で、引張ばねが支持部材を引っ張る方向において、現像ローラは、感光ドラムに対して位置決め部の反対側に位置し、感光ドラムと接触する。
【００１６】
（６）ドラムユニットは、感光ドラムと、第２感光ドラムとを備えてもよい。第２感光ドラムは、ドラムユニットが筐体に装着された状態で、押圧部材がドラムユニットを押圧する方向において、感光ドラムと間隔を隔てて並ぶ。画像形成装置は、現像剤カートリッジと、第２現像剤カートリッジとを備えてもよい。第２現像剤カートリッジは、第２感光ドラムに供給するための現像剤を収容する。第２現像剤カートリッジは、ドラムユニットが筐体に装着された状態で、押圧部材がドラムユニットを押圧する方向において、現像剤カートリッジと間隔を隔てて並ぶ。
【００１７】
（７）支持部材は、感光ドラムを露光するための露光部材を備えてもよい。露光部材は、現像剤カートリッジと第２現像剤カートリッジとの間に位置する。
【発明の効果】
【００１８】
本開示の画像形成装置によれば、支持部材を近接位置から離間位置へ容易に回動させることができる。
【図面の簡単な説明】
【００１９】
【図１】図１は、画像形成装置の概略構成図である。
【図２】図２は、図１に示す画像形成装置において、支持部材が近接位置に位置し、トップカバーが閉位置に位置した状態を示す。
【図３】図３は、図１に示す画像形成装置において、支持部材が近接位置に位置し、トップカバーが開位置に位置した状態を示す。
【図４】図４は、図１に示す画像形成装置において、トップカバーが開位置に位置し、支持部材が離間位置に位置した状態を示す。
【図５】図５は、支持部材の平面図である。
【図６】図６は、トップカバーの平面図である。
【図７】図７は、ドラムユニットの平面図である。
【図８】図８は、変形例を説明するための説明図である。
【発明を実施するための形態】
【００２０】
１．画像形成装置の概略
図１を参照して、画像形成装置１の概略について説明する。
【００２１】
画像形成装置１は、筐体２と、トップカバー２Ｂと、給紙カセット３と、ドラムユニット４と、４つの露光部材５Ｙ、５Ｍ、５Ｃ、５Ｋと、４つの現像剤カートリッジ６Ｙ、６Ｍ、６Ｃ、６Ｋと、転写装置７と、定着装置８とを備える。
【００２２】
１．１  筐体およびトップカバー
筐体２は、給紙カセット３と、ドラムユニット４と、４つの露光部材５Ｙ、５Ｍ、５Ｃ、５Ｋと、４つの現像剤カートリッジ６Ｙ、６Ｍ、６Ｃ、６Ｋと、転写装置７と、定着装置８とを収容する。筐体２は、開口２Ａを有する。
【００２３】
トップカバー２Ｂは、開口２Ａを開ける開位置（図３参照）と、開口２Ａを閉じる閉位置（図１参照）との間を、第１軸Ａ１について回動可能である。
【００２４】
１．２  給紙カセット
給紙カセット３は、印刷用紙Ｐを収容可能である。給紙カセット３内の印刷用紙Ｐは、感光ドラム９Ｙに向かって搬送される。
【００２５】
１．３  ドラムユニット
ドラムユニット４は、４つの感光ドラム９Ｙ、９Ｍ、９Ｃ、９Ｋと、４つの帯電ローラ１０Ｙ、１０Ｍ、１０Ｃ、１０Ｋとを備える。つまり、画像形成装置１は、４つの感光ドラム９Ｙ、９Ｍ、９Ｃ、９Ｋと、４つの帯電ローラ１０Ｙ、１０Ｍ、１０Ｃ、１０Ｋとを備える。
【００２６】
４つの感光ドラム９Ｙ、９Ｍ、９Ｃ、９Ｋは、並び方向において、互いに間隔を隔てて並ぶ。感光ドラム９Ｙは、軸方向に延びるドラム軸について回転可能である。軸方向は、並び方向および上下方向と交差する。好ましくは、軸方向は、並び方向および上下方向と直交する。４つの感光ドラム９Ｙ、９Ｍ、９Ｃ、９Ｋのそれぞれは、軸方向に延び、円筒形状を有する。
【００２７】
帯電ローラ１０Ｙは、感光ドラム９Ｙの周面を帯電させる。帯電ローラ１０Ｍは、感光ドラム９Ｍの周面を帯電させる。帯電ローラ１０Ｃは、感光ドラム９Ｃの周面を帯電させる。帯電ローラ１０Ｋは、感光ドラム９Ｋの周面を帯電させる。なお、ドラムユニット４は、４つの帯電ローラ１０Ｙ、１０Ｍ、１０Ｃ、１０Ｋの代わりに、４つのスコロトロン型帯電器を備えてもよい。
【００２８】
１．４  ４つの露光部材
露光部材５Ｙは、感光ドラム９Ｙを露光する。帯電ローラ１０Ｙが感光ドラム９Ｙの周面を帯電させた後、露光部材５Ｙが、帯電された感光ドラム９Ｙの周面に光を照射して露光することにより、感光ドラム９Ｙの周面に静電潜像が形成される。露光部材５Ｙは、ＬＥＤアレイを備えるＬＥＤユニットである。なお、露光部材５Ｍは、感光ドラム９Ｍを露光する。露光部材５Ｃは、感光ドラム９Ｃを露光する。露光部材５Ｋは、感光ドラム９Ｋを露光する。露光部材５Ｍ、５Ｃ、５Ｋについての説明は、露光部材５Ｙと同様であるため、省略する。
【００２９】
１．５  ４つの現像剤カートリッジ
現像剤カートリッジ６Ｙは、感光ドラム９Ｙに供給するための現像剤を収容する。現像剤カートリッジ６Ｙは、現像ローラ１１Ｙを備える。
【００３０】
現像ローラ１１Ｙは、軸方向に延びる現像ローラ軸について回転可能である。現像ローラ１１Ｙは、軸方向に延び、円柱形状を有する。現像ローラ１１Ｙの一部は、現像剤カートリッジ６Ｙの内部に収容される。現像ローラ１１Ｙは、現像剤カートリッジ６Ｙが画像形成装置１に装着された状態で、感光ドラム９Ｙの周面に接触する。これにより、現像ローラ１１Ｙは、現像剤カートリッジ６Ｙ内のトナーを感光ドラム９Ｙの周面に供給可能である。現像ローラ１１Ｙが現像剤カートリッジ６Ｙ内のトナーを感光ドラム９Ｙの周面に供給することにより、静電潜像が現像され、感光ドラム９Ｙの周面に、トナー像が、形成される。
【００３１】
なお、現像剤カートリッジ６Ｍは、感光ドラム９Ｍに供給するための現像剤を収容する。現像剤カートリッジ６Ｍは、現像ローラ１１Ｍを備える。現像剤カートリッジ６Ｃは、感光ドラム９Ｃに供給するための現像剤を収容する。現像剤カートリッジ６Ｃは、現像ローラ１１Ｃを備える。現像剤カートリッジ６Ｋは、感光ドラム９Ｋに供給するための現像剤を収容する。現像剤カートリッジ６Ｋは、現像ローラ１１Ｋを備える。現像剤カートリッジ６Ｍ、６Ｃ、６Ｋについての説明は、現像剤カートリッジ６Ｙと同様であるため、省略する。
【００３２】
また、４つの現像剤カートリッジ６Ｙ、６Ｍ、６Ｃ、６Ｋは、並び方向において、互いに間隔を隔てて並ぶ。露光部材５Ｙは、並び方向において、現像剤カートリッジ６Ｙと現像剤カートリッジ６Ｍとの間に位置する。露光部材５Ｍは、並び方向において、現像剤カートリッジ６Ｍと現像剤カートリッジ６Ｃとの間に位置する。露光部材５Ｃは、並び方向において、現像剤カートリッジ６Ｃと現像剤カートリッジ６Ｋとの間に位置する。露光部材５Ｋは、並び方向において、現像剤カートリッジ６Ｋに対して現像剤カートリッジ６Ｃの反対側に位置する。
【００３３】
１．６  転写装置
転写装置７は、４つの感光ドラム９Ｙ、９Ｍ、９Ｃ、９Ｋに形成されたトナー像を印刷用紙Ｐに転写する。給紙カセット３から供給された印刷用紙Ｐは、転写装置７と４つの感光ドラム９Ｙ、９Ｍ、９Ｃ、９Ｋとの間を通って定着装置８に向かって搬送される。このとき、転写装置７は、４つの感光ドラム９Ｙ、９Ｍ、９Ｃ、９Ｋのそれぞれに形成されたトナー像を印刷用紙Ｐに転写する。
【００３４】
１．７  定着装置
定着装置８は、トナー像が転写された印刷用紙Ｐを加熱および加圧して、印刷用紙Ｐにトナー像を定着させる。定着装置８を通過した印刷用紙Ｐは、トップカバー２Ｂの上に排紙される。
【００３５】
２．画像形成装置の詳細
次に、図２から図７を参照して、画像形成装置１の詳細について説明する。
【００３６】
画像形成装置１は、図２に示すように、さらに、支持部材２１と、２つの引張ばね２２Ａ、２２Ｂ（図５参照）と、２つの位置決め板２３Ａ、２３Ｂ（図７参照）と、２つの押圧部材２４Ａ、２４Ｂ（図７参照）と、２つのロックレバー２５Ａ、２５Ｂ（図７参照）とを備える。
【００３７】
２．１  支持部材
支持部材２１は、図４に示すように、４つの現像剤カートリッジ６Ｙ、６Ｍ、６Ｃ、６Ｋを支持する。
【００３８】
詳しくは、図３および図４に示すように、支持部材２１は、トップカバー２Ｂが開位置にある場合に、近接位置（図３参照）と離間位置（図４参照）との間を、第２軸Ａ２について回動可能である。支持部材２１は、第１端Ｅ１と、第２端Ｅ２とを有する。第２端Ｅ２は、支持部材２１が近接位置に位置した状態で、並び方向において、第１端Ｅ１から離れて位置する。第２軸Ａ２は、支持部材２１の第２端Ｅ２に位置する。
【００３９】
図３に示すように、支持部材２１が近接位置に位置する場合、支持部材２１は、現像剤カートリッジ６Ｙを感光ドラム９Ｙの上に近接させる。また、支持部材２１が近接位置に位置する場合、支持部材２１は、現像剤カートリッジ６Ｍを感光ドラム９Ｍの上に近接させ、現像剤カートリッジ６Ｃを感光ドラム９Ｃの上に近接させ、現像剤カートリッジ６Ｋを感光ドラム９Ｋの上に近接させる。なお、４つの現像剤カートリッジ６Ｙ、６Ｍ、６Ｃ、６Ｋのそれぞれは、トップカバー２Ｂが開位置に位置し、支持部材２１が近接位置に位置する状態で、開口２Ａを介して、筐体２に装着可能である。また、支持部材２１が近接位置に位置する状態で、支持部材２１は、トップカバー２Ｂよりも下方に位置する。
【００４０】
一方、図４に示すように、支持部材２１が離間位置に位置する場合、支持部材２１は、現像剤カートリッジ６Ｙを持ち上げて現像剤カートリッジ６Ｙを感光ドラム９Ｋから離間させる。また、支持部材２１が離間位置に位置する場合、支持部材２１は、現像剤カートリッジ６Ｍ、６Ｃ、６Ｋを持ち上げて、現像剤カートリッジ６Ｍを感光ドラム９Ｍから離間させ、現像剤カートリッジ６Ｃを感光ドラム９Ｃから離間させ、現像剤カートリッジ６Ｋを感光ドラム９Ｋから離間させる。なお、ドラムユニット４は、トップカバー２Ｂが開位置に位置し、支持部材２１が離間位置に位置する状態で、開口２Ａを通して、筐体２に装着可能である。
【００４１】
また、支持部材２１は、図５に示すように、矩形状の枠である。支持部材２１は、２つの側板２６Ａ、２６Ｂと、２つのアーム２７Ａ、２７Ｂと、２つの突起２８Ａ、２８Ｂと、ロックレバー２９（図３参照）と、上記した４つの露光部材５Ｙ、５Ｍ、５Ｃ、５Ｋとを備える。
【００４２】
２．１．１  側板
側板２６Ａは、図３および図５に示すように、支持部材２１が近接位置に位置した状態で、並び方向に延びる。側板２６Ａは、４つのガイド溝３０Ｙ、３０Ｍ、３０Ｃ、３０Ｋを有する。
【００４３】
４つのガイド溝３０Ｙ、３０Ｍ、３０Ｃ、３０Ｋは、支持部材２１が近接位置に位置した状態で、並び方向において、互いに間隔を隔てて並ぶ。４つのガイド溝３０Ｙ、３０Ｍ、３０Ｃ、３０Ｋのそれぞれは、支持部材２１が近接位置に位置した状態で、上下方向に延びる。ガイド溝３０Ｙには、支持部材２１に現像剤カートリッジ６Ｙが装着されるときに、現像剤カートリッジ６Ｙの突起６１Ｙが、嵌まる。突起６１Ｙは、軸方向における現像剤カートリッジ６Ｙの側面に位置する。突起６１Ｙは、軸方向における現像剤カートリッジ６Ｙの側面から軸方向に延びる。ガイド溝３０Ｙは、支持部材２１に現像剤カートリッジ６Ｙが装着されるときに、現像剤カートリッジ６Ｙの突起６１を案内する。これにより、ガイド溝３０Ｙは、支持部材２１に対する現像剤カートリッジ６Ｙの装着を案内する。なお、ガイド溝３０Ｍ、３０Ｃ、３０Ｋについての説明は、ガイド溝３０Ｙと同様である。つまり、ガイド溝３０Ｍは、支持部材２１に対する現像剤カートリッジ６Ｍの装着を案内し、ガイド溝３０Ｃは、支持部材２１に対する現像剤カートリッジ６Ｃの装着を案内し、ガイド溝３０Ｋは、支持部材２１に対する現像剤カートリッジ６Ｋの装着を案内する。
【００４４】
側板２６Ｂは、軸方向において、側板２６Ａと間隔を隔てて位置する。側板２６Ｂについての説明は、側板２６Ａと同様であるため、省略する。
【００４５】
２．１．２  アーム
２つのアーム２７Ａ、２７Ｂは、支持部材２１の第２端Ｅ２に位置する。アーム２７Ａは、側板２６Ａから並び方向に延びる。アーム２７Ａは、円筒部２７１Ａを有する。円筒部２７１Ａは、第２軸Ａ２に沿って、軸方向に延びる。円筒部２７１Ａは、筐体２に回転可能に支持される。また、アーム２７Ｂは、側板２６Ｂから並び方向に延びる。アーム２７Ｂは、円筒部２７１Ｂを有する。円筒部２７１Ｂは、第２軸Ａ２に沿って、軸方向に延びる。円筒部２７１Ｂは、筐体２に回転可能に支持される。円筒部２７１Ａおよび円筒部２７１Ｂが筐体２に回転可能に支持されることにより、支持部材２１は、第２軸Ａ２について回動可能となる。
【００４６】
２．１．３  突起
突起２８Ａは、側板２６Ａに対して側板２６Ｂの反対側に位置する。突起２８Ａは、側板２６Ａから延びる。なお、突起２８Ａは、側板２６Ａとは別の部材であり、側板２６Ａに取り付けられてもよい。突起２８Ａは、軸方向に延びる。
【００４７】
また、突起２８Ａは、アーム２７Ａの円筒部２７１Ａから離れて位置する。すなわち、突起２８Ａは、第２軸Ａ２から離れて位置する。具体的には、突起２８Ａは、支持部材２１が近接位置に位置した状態で、側板２６Ａの上端部に位置する。すなわち、突起２８Ａは、支持部材２１が近接位置に位置した状態で、第２軸Ａ２よりも上方に位置する。言い換えると、突起２８Ａは、支持部材２１が近接位置に位置し、トップカバー２Ｂが閉位置に位置した状態（図２参照）で、上下方向において、第２軸Ａ２よりもトップカバー２Ｂの近くに位置する。また、突起２８Ａは、支持部材２１が近接位置に位置した状態で、並び方向において、第２軸Ａ２に対してトップカバー２Ｂのアーム４１Ａの反対側に位置する。言い換えると、突起２８Ａは、支持部材２１が近接位置に位置した状態で、並び方向において、第２軸Ａ２よりもトップカバー２Ｂのアーム４１Ａから離れて位置する。トップカバー２Ｂのアーム４１Ａについては、後で説明する。また、突起２８Ａは、支持部材２１が近接位置に位置した状態で、並び方向において、支持部材２１の重心Ｃと第２軸Ａ２との間に位置する。突起２８Ａには、引張ばね２２Ａが接続される。
【００４８】
突起２８Ｂは、図５に示すように、側板２６Ｂに対して側板２６Ａの反対側に位置する。突起２８Ｂは、側板２６Ｂから延びる。なお、突起２８Ｂは、側板２６Ｂとは別の部材であり、側板２６Ｂに取り付けられてもよい。なお、突起２８Ｂは、軸方向に見て、突起２８Ａと同じ位置に位置する。突起２８Ｂは、突起２８Ａを軸方向に投影した投影面内に位置する。突起２８Ｂは、軸方向に延びる。突起２８Ｂには、引張ばね２２Ｂが接続される。
【００４９】
２．１．４  ロックレバー
ロックレバー２９は、図３および図４に示すように、支持部材２１の第１端Ｅ１に位置する。ロックレバー２９は、支持部材２１が近接位置に位置した状態で、筐体２内の突起１００に引っかかる。これにより、支持部材２１は、近接位置に維持される。なお、ユーザーが支持部材２１を近接位置から離間位置へ移動させる場合、ユーザーは、ロックレバー２９を、突起１００から外す。すると、支持部材２１は、引張ばね２２Ａ、２２Ｂによって引っ張られることにより、近接位置から離間位置へ向かって回動する。
【００５０】
２．１．５  露光部材
４つの露光部材５Ｙ、５Ｍ、５Ｃ、５Ｋは、図５に示すように、軸方向において、側板２６Ａと側板２６Ｂとの間に位置する。４つの露光部材５Ｙ、５Ｍ、５Ｃ、５Ｋのそれぞれは、軸方向に延びる。４つの露光部材５Ｙ、５Ｍ、５Ｃ、５Ｋは、支持部材２１が近接位置に位置した状態で、並び方向において、互いに間隔を隔てて並ぶ。
【００５１】
２．２  引張ばね、および、トップカバーの詳細
２つの引張ばね２２Ａ、２２Ｂ（図５参照）は、図４に示すように、トップカバー２Ｂが開位置に位置した状態で、支持部材２１を離間位置に向けて引っ張る。なお、引張ばね２２Ｂについての説明は、引張ばね２２Ａと同様である。そのため、以下の説明において、引張ばね２２Ａについて説明し、引張ばね２２Ｂについての説明を省略する。
【００５２】
引張ばね２２Ａは、第１端Ｅ１１と第２端Ｅ１２とを有する。第１端Ｅ１１は、第１軸Ａ１から離れた位置でトップカバー２Ｂに接続される。
【００５３】
詳しくは、トップカバー２Ｂは、図３および図６に示すように、トップカバー本体４０と、２つのアーム４１Ａ、４１Ｂ（図６参照）とを有する。
【００５４】
トップカバー本体４０は、トップカバー２Ｂが閉位置に位置した状態で開口２Ａを閉じる。トップカバー本体４０は、第１軸Ａ１について回動可能である。
【００５５】
アーム４１Ａは、トップカバー本体４０から下方に向かって延びる。アーム４１Ａは、トップカバー本体４０とともに、第１軸Ａ１について回動可能である。アーム４１Ａの先端４１１Ａは、トップカバー２Ｂが閉位置から開位置へ移動する場合に、並び方向において、支持部材２１に近づく方向へ移動する。また、アーム４１Ａの先端４１１Ａは、トップカバー２Ｂが開位置から閉位置へ移動する場合に、並び方向において、支持部材２１から離れる方向へ移動する。アーム４１Ａの先端４１１Ａには、引張ばね２２Ａの第１端Ｅ１１が取り付けられる。つまり、第１端Ｅ１１は、第１軸Ａ１から離れた位置でトップカバー２Ｂに接続される。
【００５６】
また、第２端Ｅ１２は、第２軸Ａ２から離れた位置で支持部材２１に接続される。詳しくは、第２端Ｅ１２は、支持部材２１の突起２８Ａに接続される。支持部材２１の突起２８Ａと第２軸Ａ２との距離Ｄ２は、アーム４１Ａの先端４１１Ａと第１軸Ａ１との距離Ｄ１よりも長い。
【００５７】
アーム４１Ｂは、軸方向においてアーム４１Ａから離れて位置する。アーム４１Ｂについての説明は、アーム４１Ａについての説明と同様である。そのため、アーム４１Ｂについての説明を省略する。
【００５８】
引張ばね２２Ａは、図２に示すように、トップカバー２Ｂが閉位置に位置し、支持部材２１が近接位置に位置する状態で、第１長さＬ１である。第１長さＬ１は、引張ばね２２Ａの自然長よりも長い。
【００５９】
つまり、引張ばね２２Ａは、トップカバー２Ｂが閉位置に位置し、支持部材２１が近接位置に位置する状態で、支持部材２１の突起２８Ａを、アーム４１Ａの先端４１１Ａに近づく方向へ引っ張っている。ここで、引張ばね２２Ａが支持部材２１の突起２８Ａを引っ張る方向は、並び方向とほぼ平行である。そして、ドラムユニット４が筐体２に装着され、支持部材２１が近接位置に位置し、現像剤カートリッジ６Ｙが筐体２に装着された状態で、引張ばね２２Ａが支持部材２１を引っ張る方向において、現像ローラ１１Ｙ（図１参照）は、感光ドラム９Ｙに対して、位置決め部２３１Ａ、２３１Ｂ（図７参照）の反対側に位置し、感光ドラム９Ｙと接触する。なお、位置決め部２３１Ａ、２３１Ｂについては、後で説明する。つまり、ドラムユニット４が筐体２に装着され、支持部材２１が近接位置に位置し、現像剤カートリッジ６Ｙが筐体２に装着された状態で、引張ばね２２Ａが支持部材２１を引っ張ることにより、現像ローラ１１Ｙは、感光ドラム９Ｙを、位置決め部２３１Ａ、２３１Ｂに向かう方向へ押圧する。これにより、引張ばね２２Ａが支持部材２１を引っ張る力を利用して、ドラムユニット４を位置決め部２３１Ａ、２３１Ｂに向かって押圧することができる。
【００６０】
また、引張ばね２２Ａは、トップカバー２Ｂが閉位置に位置し、支持部材２１が近接位置に位置する状態で、アーム４１Ａの先端４１１Ａを、支持部材２１の突起２８Ａに近づく方向へ引っ張っている。
【００６１】
これにより、図２および図３に示すように、支持部材２１が近接位置に位置する状態で、トップカバー２Ｂが閉位置から開位置へ回動する場合、アーム４１Ａは、引張ばね２２Ａによって引っ張られて、先端４１１Ａが支持部材２１の突起２８Ａに近づく方向に回動する。すると、トップカバー本体４０がアーム４１Ａとともに回動し、トップカバー２Ｂが閉位置から開位置へ回動する。
【００６２】
すると、引張ばね２２Ａは、トップカバー２Ｂが閉位置から開位置へ回動するにつれて縮み、図３に示すように、トップカバー２Ｂが開位置に位置し、支持部材２１が近接位置に位置する状態で、第１長さＬ１よりも短い第２長さＬ２になる。第２長さＬ２は、引張ばね２２Ａの自然長よりも長い。
【００６３】
つまり、引張ばね２２Ａは、トップカバー２Ｂが開位置に位置し、支持部材２１が近接位置に位置する状態で、アーム４１Ａの先端４１１Ａを、支持部材２１の突起２８Ａに近づく方向へ引っ張っている。これにより、トップカバー２Ｂは、開位置に維持される。
【００６４】
また、引張ばね２２Ａは、トップカバー２Ｂが開位置に位置し、支持部材２１が近接位置に位置する状態で、支持部材２１の突起２８Ａを、アーム４１Ａの先端４１１Ａに近づく方向へ引っ張っている。
【００６５】
これにより、図３および図４に示すように、トップカバー２Ｂが開位置に位置する状態で、支持部材２１が近接位置から離間位置へ回動する場合、支持部材２１は、引張ばね２２Ａにより、突起２８Ａがアーム４１Ａの先端４１１Ａに近づく方向へ引っ張られて、近接位置から離間位置へ回動する。
【００６６】
すると、引張ばね２２Ａは、支持部材２１が近接位置から離間位置へ回動するにつれて縮み、図４に示すように、トップカバー２Ｂが開位置に位置し、支持部材２１が離間位置に位置する状態で、第２長さＬ２よりも短い第３長さＬ３になる。第３長さＬ３は、引張ばね２２Ａの自然長よりも長い。
【００６７】
つまり、引張ばね２２Ａは、トップカバー２Ｂが開位置に位置し、支持部材２１が離間位置に位置する状態で、支持部材２１の突起２８Ａを、アーム４１Ａの先端４１１Ａに近づく方向へ引っ張っている。これにより、支持部材２１は、離間位置に維持される。
【００６８】
２．３  位置決め板、および、ドラムユニット
位置決め板２３Ａは、図２に示すように、筐体２内に設けられる。位置決め板２３Ａは、並び方向に延びる。位置決め板２３Ａは、位置決め部２３１Ａを有する。すなわち、筐体２は、位置決め部２３１Ａを備える。
【００６９】
位置決め部２３１Ａは、位置決め板２３Ａの一部である。位置決め部２３１Ａは、並び方向において、感光ドラム９Ｋと定着装置８との間に位置する。具体的には、位置決め部２３１Ａは、三角形状の切欠きの縁である。
【００７０】
位置決め板２３Ｂは、図７に示すように、軸方向において、位置決め板２３Ａと間隔を隔てて位置する。位置決め板２３Ｂは、位置決め板２３Ａと同じ形状を有する。すなわち、位置決め板２３Ｂは、位置決め部２３１Ａと同じ形状の位置決め部２３１Ｂを有する。
【００７１】
位置決め部２３１Ａ、２３１Ｂは、ドラムユニット４が筐体２に装着された状態で、ドラムユニット４の一部と接触して筐体２に対するドラムユニット４の位置を決める。
【００７２】
詳しくは、ドラムユニット４は、矩形状の枠である。ドラムユニット４は、第１端Ｅ３１と、第２端Ｅ３２とを有する。第２端Ｅ３２は、第１端Ｅ３１から離れて位置する。第２端Ｅ３２は、ドラムユニット４が筐体２に装着された状態で、並び方向において、第１端Ｅ３１よりも位置決め部２３１Ａ（図２参照）の近くに位置する。また、ドラムユニット４は、２つの側板５１Ａ、５１Ｂと、シャフト５２と、シャフト５３とを有する。
【００７３】
２つの側板５１Ａ、５１Ｂは、軸方向において、互いに間隔を隔てて位置する。２つの側板５１Ａ、５１Ｂのそれぞれは、並び方向に延びる。
【００７４】
シャフト５２は、並び方向において、ドラムユニット４の第２端Ｅ３２に位置する。シャフト５２は、軸方向に延びる。シャフト５２は、第１端５２Ａと、第２端５２Ｂとを有する。第１端５２Ａは、軸方向において、側板５１Ａに対して側板５１Ｂの反対側に位置する。第１端５２Ａは、ドラムユニット４が筐体２に装着された状態で、位置決め板２３Ａの位置決め部２３１Ａと接触する。第２端５２Ｂは、軸方向において、第１端５２Ａから離れて位置する。第２端５２Ｂは、軸方向において、側板５１Ｂに対して側板５１Ａの反対側に位置する。第２端５２Ｂは、ドラムユニット４が筐体２に装着された状態で、位置決め板２３Ｂの位置決め部２３１Ｂと接触する。なお、ドラムユニット４は、シャフト５２の代わりに、側板５１Ａから突出する突起と、側板５１Ｂから突出する突起とを有してもよい。この場合、側板５１Ａから突出する突起が、位置決め板２３Ａの位置決め部２３１Ａと接触し、側板５１Ｂから突出する突起が、位置決め板２３Ｂの位置決め部２３１Ｂと接触する。
【００７５】
ドラムユニット４が筐体２に装着された状態で、シャフト５２の第１端５２Ａが位置決め部２３１Ａと接触し、シャフト５２の第２端５２Ｂが位置決め部２３１Ｂと接触することにより、ドラムユニット４は、筐体２に対して位置決めされる。すなわち、位置決め部２３１Ａ、２３１Ｂは、ドラムユニット４が筐体２に装着された状態で、ドラムユニット４の一部と接触して筐体２に対するドラムユニット４の位置を決める。
【００７６】
シャフト５３は、ドラムユニット４が筐体２に装着された状態で、２つの押圧部材２４Ａ、２４Ｂと接触する。シャフト５３は、並び方向において、ドラムユニット４の第１端Ｅ３１に位置する。シャフト５３は、軸方向に延びる。シャフト５３は、第１端５３Ａと、第２端５３Ｂとを有する。第１端５３Ａは、軸方向において、側板５１Ａに対して側板５１Ｂの反対側に位置する。第１端５３Ａは、ドラムユニット４が筐体２に装着された状態で、押圧部材２４Ａと接触する。第２端５３Ｂは、軸方向において、第１端５３Ａから離れて位置する。第２端５３Ｂは、軸方向において、側板５１Ｂに対して側板５１Ａの反対側に位置する。第２端５３Ｂは、ドラムユニット４が筐体２に装着された状態で、押圧部材２４Ｂと接触する。
【００７７】
２．４  押圧部材
２つの押圧部材２４Ａ、２４Ｂ（図７参照）は、図２に示すように、筐体２内に設けられる。言い換えると、筐体２は、２つの押圧部材２４Ａ、２４Ｂを備える。なお、押圧部材２４Ｂについての説明は、押圧部材２４Ａと同様である。そのため、以下の説明において、押圧部材２４Ａについて説明し、押圧部材２４Ｂについての説明を省略する。
【００７８】
押圧部材２４Ａは、ドラムユニット４が筐体２に装着され、トップカバー２Ｂが閉位置に位置した状態で、ドラムユニット４を位置決め部２３１Ａに向かって押圧する。押圧部材２４Ａがドラムユニット４を押圧する方向は、並び方向とほぼ平行である。すなわち、感光ドラム９Ｍは、ドラムユニット４が筐体２に装着された状態で、押圧部材２４Ａがドラムユニット４を押圧する方向において、感光ドラム９Ｙと間隔を隔てて並ぶ。また、現像剤カートリッジ６Ｍは、ドラムユニット４が筐体２に装着された状態で、押圧部材２４Ａがドラムユニット４を押圧する方向において、現像剤カートリッジ６Ｙと間隔を隔てて並ぶ。また、押圧部材２４Ａがドラムユニット４を押圧する方向は、引張ばね２２Ａが、支持部材２１を引っ張る方向とほぼ同じ方向である。つまり、支持部材２１が近接位置に位置し、トップカバー２Ｂが閉位置に位置する状態で、引張ばね２２Ａは、押圧部材２４Ａがドラムユニット４を押圧する方向に、支持部材２１を引っ張る。これにより、引張ばね２２Ａが支持部材２１を引っ張る力と押圧部材２４Ａがドラムユニット４を押圧する力とが互いに反することがなく、筐体２内におけるドラムユニット４の位置精度を向上させることができる。
【００７９】
押圧部材２４Ａは、図２および図３に示すように、ドラムユニット４を押圧する押圧位置（図２参照）と、ドラムユニット４に対する押圧を解除する押圧解除位置（図３参照）との間を、並び方向に移動可能である。押圧部材２４Ａは、トップカバー２Ｂが閉位置に位置した状態で、押圧位置に位置する。また、押圧部材２４Ａは、トップカバー２Ｂが開位置に位置した状態で、押圧解除位置に位置する。
【００８０】
詳しくは、押圧部材２４Ａは、筐体２に設けられるレバー１１０によって、移動させられる。レバー１１０は、上下方向に延びる。レバー１１０は、第１端Ｅ４１と、第２端Ｅ４２とを有する。第２端Ｅ４２は、上下方向において、第１端Ｅ４１から離れて位置する。レバー１１０は、第３軸Ａ３について回転可能である。第３軸Ａ３は、第１端Ｅ４１と第２端Ｅ４２との間に位置する。第１端Ｅ４１は、トップカバー２Ｂが閉位置に位置した状態で、トップカバー２Ｂの一部と接触する。詳しくは、第１端Ｅ４１は、軸方向に延びるボス１１１を有する。トップカバー２Ｂは、トップカバー本体４０から延びる突起１１２を有する。ボス１１１は、トップカバー２Ｂが閉位置に位置した状態で、突起１１２と接触する。第２端Ｅ４２は、押圧部材２４Ａに接触する。
【００８１】
図２に示すように、トップカバー２Ｂが閉位置に位置すると、トップカバー２Ｂの突起１１２がレバー１１０のボス１１１と接触することにより、レバー１１０は、第３軸Ａ３について回転して、押圧部材２４Ａを押圧解除位置から押圧位置へ向かって押圧する。これにより、押圧部材２４Ａは、トップカバー２Ｂが閉位置に位置した状態で、押圧位置に位置する。
【００８２】
また、図３に示すように、トップカバー２Ｂが開位置に位置すると、トップカバー２Ｂの突起１１２とレバー１１０のボス１１１との接触が解除されることにより、レバー１１０は、第３軸Ａ３について回転して、押圧部材２４Ａに対する押圧を解除する。これにより、押圧部材２４Ａは、トップカバー２Ｂが閉位置に位置した状態で、押圧解除位置に位置する。
【００８３】
２．５  ロックレバー
ロックレバー２５Ａは、図２に示すように、ドラムユニット４が筐体２に装着された状態で、ドラムユニット４を、位置決め板２３Ａに対してロックする。詳しくは、ロックレバー２５Ａは、図２および図４に示すように、ロック位置（図２参照）と、ロック解除位置（図４参照）との間で移動可能である。ドラムユニット４が筐体２に装着され、ロックレバー２５Ａがロック位置に位置する状態で、ロックレバー２５Ａは、ドラムユニット４のシャフト５２の第１端５２Ａ（図７参照）に引っかかる。これにより、ロックレバー２５Ａは、ドラムユニット４を、位置決め板２３Ａに対してロックする。また、ロックレバー２５Ａがロック解除位置に位置する状態で、ロックレバー２５Ａは、ドラムユニット４のシャフト５２の第１端５２Ａから離れる。これにより、ドラムユニット４は、筐体から離脱可能となる。
【００８４】
なお、ロックレバー２５Ａは、引張ばね１１３を介して、支持部材２１に接続されている。これにより、支持部材２１が近接位置から離間位置へ移動するときに、引張ばね１１３によって引っ張られて、ロック位置からロック解除位置へ移動する。また、支持部材２１が離間位置から近接位置へ移動するときに、ロック解除位置からロック位置へ移動する。
【００８５】
ロックレバー２５Ｂは、図７に示すように、軸方向において、ロックレバー２５Ａから離れて位置する。なお、ロックレバー２５Ｂについての説明は、ロックレバー２５Ａについての説明と同様である。ロックレバー２５Ｂは、ドラムユニット４が筐体２に装着され、ロックレバー２５Ｂがロック位置に位置する状態で、ドラムユニット４のシャフト５２の第２端５２Ｂに引っかかる。
【００８６】
３．作用効果
画像形成装置１では、図２に示すように、引張ばね２２Ａの第１端Ｅ１１が第１軸Ａ１から離れた位置でトップカバー２Ｂに接続され、引張ばね２２Ａの第２端Ｅ１２が第２軸Ａ２から離れた位置で支持部材２１に接続される。
【００８７】
これにより、図３に示すように、引張ばね２２Ａは、トップカバー２Ｂが開位置に位置した状態で、支持部材２１を離間位置に向けて引っ張る。
【００８８】
そのため、図３および図４に示すように、トップカバー２Ｂが開位置に位置した状態で、ユーザが支持部材２１を近接位置から離間位置へ回動させる場合、引張ばね２２Ａの力を利用して、支持部材２１を近接位置から離間位置へ回動させることができる。
【００８９】
その結果、支持部材２１を近接位置から離間位置へ容易に回動させることができる。
【００９０】
また、画像形成装置１では、図２に示すように、支持部材２１が近接位置に位置し、トップカバー２Ｂが閉位置に位置する状態で、引張ばね２２Ａは、押圧部材２４Ａがドラムユニット４を押圧する方向に、支持部材２１を引っ張る。
【００９１】
これにより、引張ばね２２Ａが支持部材２１を引っ張る力と押圧部材２４Ａがドラムユニット４を押圧する力とが互いに反することがなく、ドラムユニット４を位置決め部２３１Ａに対して、正確に接触させることができる。
【００９２】
その結果、筐体２内におけるドラムユニット４の位置精度を向上させることができる。
【００９３】
また、画像形成装置１では、図１および図２に示すように、ドラムユニット４が筐体２に装着され、支持部材２１が近接位置に位置し、現像剤カートリッジ６Ｙが筐体２に装着された状態で、引張ばね２２Ａが支持部材２１を引っ張る方向において、現像ローラ１１Ｙは、感光ドラム９Ｙに対して位置決め部２３１Ａの反対側に位置し、感光ドラム９Ｙと接触する。
【００９４】
つまり、ドラムユニット４が筐体２に装着され、支持部材２１が近接位置に位置し、現像剤カートリッジ６Ｙが筐体２に装着された状態で、引張ばね２２Ａが支持部材２１を引っ張ることにより、現像ローラ１１Ｙは、感光ドラム９Ｙを、位置決め部２３１Ａ、２３１Ｂに向かう方向へ押圧する。
【００９５】
これにより、引張ばね２２Ａが支持部材２１を引っ張る力を利用して、ドラムユニット４を位置決め部２３１Ａに向かって押圧することができる。
【００９６】
４．変形例
支持部材２１に引張ばね２２Ａを接続する位置、および、トップカバー２Ｂに引張ばね２２Ａを接続する位置は、支持部材２１およびトップカバー２Ｂの重量に合わせて、適宜、変更できる。
【００９７】
例えば、図８に示すように、トップカバー２Ｂの上にスキャナ２００が搭載されていて、上記した実施形態の場合と比べて、支持部材２１の重量に対してトップカバー２Ｂの重量が大きい場合、引張ばね２２Ａの第２端Ｅ１２を、支持部材２１の重心Ｃの近くに接続してもよい。
【符号の説明】
【００９８】
１        画像形成装置
２        筐体
２Ａ      開口
２Ｂ      トップカバー
４        ドラムユニット
６Ｙ      現像剤カートリッジ
６Ｍ      現像剤カートリッジ
９Ｙ      感光ドラム
９Ｍ      感光ドラム
１１Ｙ    現像ローラ
２１      支持部材
２２Ａ    引張ばね
２４Ａ    押圧部材
２３１Ａ  位置決め部
Ａ１      第１軸
Ａ２      第２軸
【図１】
2020016773.tif 000003
【図２】
2020016773.tif 000004
【図３】
2020016773.tif 000005
【図４】
2020016773.tif 000006
【図５】
2020016773.tif 000007
【図６】
2020016773.tif 000008
【図７】
2020016773.tif 000009
【図８】
2020016773.tif 000010